(57)【要約】【課題】導光体の取付を容易にしたバックライトユニット、さらに、そのバックライトユニットを搭載する液晶表示装置を提供する。【解決手段】バックライトユニット５９では、導光体３１と、少なくとも１個以上の導光体３１を並べて収容する裏ハウジングＨＧ２と、導光体３１を覆うことで、裏ハウジングＨＧ２の一面である底面ＨＧ２ｂとともに導光体３１を挟み込み、その導光体３１を底面ＨＧ２ｂに対して押さえ付けることで不動にする膨張袋１１とが含まれる。【選択図】図１
2010009885.tif 000002
【特許請求の範囲】
【請求項１】
光を内部で多重反射させ外部に出射させる導光体と、
少なくとも１個以上の上記導光体を並べて収容するハウジングと、
上記導光体を覆うことで、上記ハウジングの一面である支持面とともに上記導光体を挟み込み、上記導光体を上記支持面に対して押さえ付けることで不動にする押さえ体と、
が含まれるバックライトユニット。
【請求項２】
上記押さえ体は、媒体の流入によって膨張する膨張体であり、上記ハウジングの一端に引っかかりつつ膨張することで、上記導光体を上記支持面に対して押さえ付ける請求項１に記載のバックライトユニット。
【請求項３】
上記膨張体は、上記媒体を収容する袋である請求項２に記載のバックライトユニット。
【請求項４】
上記ハウジングの一端は、上記支持面に対して立ち上がる上記ハウジングの壁部である請求項３に記載のバックライトユニット。
【請求項５】
上記ハウジングの一端は、上記支持面に対して立ち上がる上記ハウジングの壁部から突き出ることで、上記袋を上記導光体に押さえ付ける押さえ片である請求項３に記載のバックライトユニット。
【請求項６】
上記押さえ体は、上記媒体の収容空間を形成する以下の（１）〜（３）の部材のセットである請求項２に記載のバックライトユニット。
（１）上記支持面に対して立ち上がる上記ハウジングの壁部
（２）上記壁部にて保持されつつ上記導光体を覆うことで、上記支持面とともに上記導
光体を挟み込む第１板
（３）上記第１板から乖離しつつ上記壁部にて保持されることで、上記第１板とともに
上記媒体を挟み込む第２板
【請求項７】
上記押さえ体と、上記支持面と、上記支持面に対して立ち上がる上記ハウジングの壁部とで囲まれる空間を挟持空間とすると、
上記挟持空間の気圧を減圧させる減圧開孔が、上記ハウジングに含まれる請求項１〜６のいずれか１項に記載のバックライトユニット。
【請求項８】
上記導光体と、上記導光体に対して光を供給する光源と、上記光源を実装するとともに上記導光体を支える実装基板とが含まれており、
上記実装基板が上記支持面に支えられることで、上記実装基板、上記光源、および上記導光体が、上記挟持空間に収容されており、
上記減圧開孔は、上記支持面に位置するとともに上記実装基板における両基板面を貫く接続開孔につながることで延び、上記挟持空間に到達する請求項７に記載のバックライトユニット。
【請求項９】
上記接続開孔における両端の口にて、上記減圧開孔につながる口を接続口、その接続口の反対側の口を開放口とすると、
上記開放口は、上記導光体に密着する請求項８に記載のバックライトユニット。
【請求項１０】
上記減圧開孔は、上記支持面に位置しており、
上記減圧開孔の上記挟持空間側の口は、上記実装基板に密着する請求項７〜９のいずれか１項に記載のバックライトユニット。
【請求項１１】
請求項１〜１０のいずれか１項に記載のバックライトユニットと、
上記導光体から出射する光を受光する液晶表示パネルと、
を含む液晶表示装置。
【発明の詳細な説明】
【技術分野】
【０００１】
本発明は、バックライトユニットおよびそれを搭載する液晶表示装置に関する。
【背景技術】
【０００２】
従来から液晶表示装置の液晶表示パネル（非発光型表示パネル）に光を供給するバックライトユニットは種々開発されている。その中で、光を発する光源｛例えば、蛍光管およびＬＥＤ（Light Emitting Diode）｝と、その光源からの光を受光し、内部で多重反射させて面状の光に変換する導光体とを含む種類のバックライトユニットがある。
【０００３】
このようなバックライトユニットの場合、導光体はバックライトユニットのハウジングにおける所定位置に取り付けられなくてはならず、さらには、バックライトユニットの振動および傾き等に起因して変動してはならない。このようになっていなければ、光源からの光が導光体にて所望の面状光に変換されず、バックライトユニットからの光（バックライト光）に、輝度ムラ等が発生するためである。
【０００４】
そこで、導光体は、バックライトユニットのハウジングの所定位置に、ネジ等で締結されたり、接着剤で固定されたりする。しかし、ハウジングに対する導光体の取付作業は、煩わしい。特に、特許文献１に開示されるような複数の導光体を並べて収容するバックライトユニットの場合、導光体の数だけ取付工程が増加するので、極めて煩わしい。
【特許文献１】特開２００４−２６５６３５号公報
【発明の開示】
【発明が解決しようとする課題】
【０００５】
そこで、本発明は、上記の状況を鑑みてなされている。すなわち、本発明の目的は、導光体の取付を容易にしたバックライトユニット、さらに、そのバックライトユニットを搭載する液晶表示装置を提供することにある。
【課題を解決するための手段】
【０００６】
バックライトユニットは、光を内部で多重反射させ外部に出射させる導光体と、少なくとも１個以上の導光体を並べて収容するハウジングと、導光体を覆うことで、ハウジングの一面である支持面とともに導光体を挟み込み、導光体を支持面に対して押さえ付けることで不動にする押さえ体と、を含む。
【０００７】
このようになっていると、例えばネジおよび接着剤が用いられることなく、導光体が押さえ体によってハウジングに対して取り付けられ、さらに不動になる。特に、導光体が複数あったとしても、一度に、押さえ体が複数の導光体をハウジングの支持面に押さえ付けるので、それらの複数の導光体は簡易にハウジングに対して不動になる。したがって、導光体の取付を容易にしたバックライトユニットが完成する。
【０００８】
なお、押さえ体は、媒体の流入によって膨張する膨張体であり、ハウジングの一端に引っかかりつつ膨張することで、導光体を支持面に対して押さえ付けると望ましい。
【０００９】
そして、このような膨張体の一例としては、媒体を収容する袋が挙げられる。
【００１０】
また、膨張体である袋が引っかかるハウジングの一端は、支持面に対して立ち上がるハウジングの壁部であると望ましい。
【００１１】
ただし、ハウジングの一端は、壁部に限定されるものではなく、例えば、支持面に対して立ち上がるハウジングの壁部から突き出ることで、袋を導光体に押さえ付ける押さえ片であってもよい。
【００１２】
また、押さえ体は、袋に限定されるものではなく、例えば、媒体の収容空間を形成する以下の（１）〜（３）の部材のセットであってもよい。
（１）支持面に対して立ち上がるハウジングの壁部
（２）壁部にて保持されつつ導光体を覆うことで、支持面とともに導光体を挟み込む第
１板
（３）第１板から乖離しつつ壁部にて保持されることで、第１板とともに媒体を挟み込
む第２板
【００１３】
ところで、ハウジングにて、押さえ体と、支持面と、支持面に対して立ち上がるハウジングの壁部とで囲まれる空間を挟持空間とすると、その挟持空間の気圧を減圧させる減圧開孔がハウジングに含まれると望ましい。
【００１４】
このように挟持空間の気圧が減圧されると、その挟持空間における導光体が支持面に密着しやすくなるためである。
【００１５】
なお、ハウジングには、導光体と、その導光体に対して光を供給する光源と、その光源を実装するとともに導光体を支える実装基板とが含まれている。そして、実装基板が支持面に支えられることで、実装基板、光源、および導光体が、挟持空間に収容されている場合、減圧開孔は、支持面に位置するとともに実装基板における両基板面を貫く接続開孔につながることで延び、挟持空間に到達すると望ましい。
【００１６】
また、接続開孔における両端の口にて、減圧開孔につながる口を接続口、その接続口の反対側の口を開放口とすると、開放口は、導光体に密着すると望ましい。
【００１７】
また、減圧開孔は、支持面に位置しており、減圧開孔の挟持空間側の口は、実装基板に密着すると望ましい。
【００１８】
なお、以上のバックライトユニットと、導光体から出射する光を受光する液晶表示パネルと、を含む液晶表示装置も本発明といえる。
【発明の効果】
【００１９】
本発明によれば、例えばネジおよび接着剤が用いられることなく、導光体が押さえ体によってハウジングに取り付けられるので、そのハウジングに対する導光体の取付が容易になる。その上、押さえ体がハウジングの支持面に対して導光体を押さえ付けることから、その導光体はハウジングに対して不動にもなる。
【発明を実施するための最良の形態】
【００２０】
［実施の形態１］
実施の一形態について、図面に基づいて説明すれば、以下の通りである。なお、便宜上、ハッチングや部材符号等を省略する場合もあるが、かかる場合、他の図面を参照するものとする。また、図面上での黒丸は紙面に対し垂直方向を意味する。
【００２１】
図１の分解斜視図は、液晶表示装置６９を示す。図２は図１の液晶表示装置６９のＡ−Ａ’線矢視断面図であり、図３は図１の液晶表示装置６９のＢ−Ｂ’線矢視断面図である。そして、図４は、液晶表示装置６９における一部を拡大した分解斜視図である。
【００２２】
これらの図１〜図３に示すように、液晶表示装置６９は、液晶表示パネル４９、バックライトユニット５９、および、液晶表示パネル４９とバックライトユニット５９とを挟み込むハウジングＨＧを含む（なお、液晶表示パネル４９を覆うハウジングＨＧを表ハウジングＨＧ１、バックライトユニット５９を支えるハウジングＨＧを裏ハウジングＨＧ２と称する）。
【００２３】
液晶表示パネル４９は、ＴＦＴ（Thin Film Transistor）等のスイッチング素子を含むアクティブマトリックス基板４１と、このアクティブマトリックス基板４１に対向する対向基板４２とをシール材（不図示）で貼り合わせる。そして、両基板４１・４２の隙間に不図示の液晶が注入される（なお、アクティブマトリックス基板４１および対向基板４２を挟むように、偏光フィルムが取り付けられてもよい）。
【００２４】
バックライトユニット５９は、非発光型の液晶表示パネル４９に対して光を照射する。つまり、液晶表示パネル４９は、バックライトユニット５９からの光（バックライト光）を受光することで表示機能を発揮する。そのため、バックライトユニット５９からの光が液晶表示パネル４９の全面を均一に照射できれば、液晶表示パネル４９の表示品位が向上する。
【００２５】
そして、このようなバックライトユニット５９は、ＬＥＤ（Light Emitting Diode）２１、実装基板２５、導光体３１、および膨張袋（押さえ体、膨張体）１１を含む。
【００２６】
図４の拡大分解斜視図に示すように、ＬＥＤ２１は、光を発する発光素子（光源）であり、実装基板２５は、ＬＥＤ２１を基板面に形成される電極（不図示）に実装させることで、不図示の電源からの電流をＬＥＤ２１に供給する。なお、実装基板２５にて、電極を介してＬＥＤ２１を実装される基板面は実装面２５Ｕと称し、その実装面２５Ｕの裏基板面は非実装面２５Ｂと称される。
【００２７】
また、光量確保のために、複数のＬＥＤ（点状光源）２１が実装基板２５に実装されるとよく、さらに、列状に並列していると望ましい。ただし、図面では便宜上、一部のＬＥＤ２１のみが示されているにすぎない（なお、以降では、ＬＥＤ２１の並ぶ方向を並び方向Ｐと称する）。
【００２８】
導光体３１は、自身に入射するＬＥＤ２１の光を多重反射（ミキシング）させて、外部に出射させる。この導光体３１は、図４に示すように、光を受光する受光片３１Ｒと、この受光片３１Ｒにつながる出射片３１Ｓとを含む。
【００２９】
受光片３１Ｒは、板状部材であり、並び方向Ｐに沿う側壁の一部分に切欠（主切欠）ＫＣを有する。この切欠ＫＣは、自身の底ＫＣｂにＬＥＤ２１の発光面２１Ｌを対向させつつ、そのＬＥＤ２１を囲める程度のスペースを有する。そのため、この切欠ＫＣに収まるようにＬＥＤ２１が取り付けられると、切欠ＫＣの底ＫＣｂが導光体３１の受光面３１Ｒｓとなる。なお、受光片３１Ｒの側壁を挟む２面のうち、実装基板２５（ひいては裏ハウジングＨＧ２）側に向く面を底面３１Ｒｂ、その底面３１Ｒｂの反対面を天面３１Ｒｕとする。
【００３０】
出射片３１Ｓは、受光片３１Ｒに並ぶようにして連なり、受光面３１Ｒｓから入射する光の進行先に位置する板状部材である。この出射片３１Ｓは、受光片３１Ｒの底面３１Ｒｂと同一面（面一）となる底面３１Ｓｂを有する一方、受光片３１Ｒの天面３１Ｒｕに対して高くなる段差を生じさせる天面３１Ｓｕを有する。
【００３１】
さらに、出射片３１Ｓにおける天面３１Ｓｕと底面３１Ｓｂとは、平行ではなく、一方面が他方面に対して傾斜する。詳説すると、受光面３１Ｒｓからの光の進行先に進むにつれて、底面３１Ｓｂが天面３１Ｓｕに近づくように傾く。つまり、出射片３１Ｓは、受光面３１Ｒｓからの光の進行先に進むにつれて、厚み（天面３１Ｓｕと底面３１Ｓｂとの間隔）を徐々に薄くすることで、先細りする（なお、このような先細りした出射片３１Ｓを含む導光体３１は、くさび形の導光体３１とも称される）。
【００３２】
そして、このような受光片３１Ｒと出射片３１Ｓとを含む導光体３１は、受光面３１Ｒｓから光を受光し、その光を底面３１ｂ（３１Ｒｂ・３１Ｓｂ）と天面３１ｕ（３１Ｒｕ・３１Ｓｕ）との間でミキシングさせ、天面３１Ｓｕから外部に向けて出射させる（なお、天面３１Ｓｕから出射する光は面状光と称される）。
【００３３】
以上のような導光体３１は、実装基板２５にて一列（並び方向Ｐに沿って）に並ぶＬＥＤ２１に応じて一列に並ぶ。さらに、この一列になった導光体３１が、並び方向Ｐに対して交差する交差方向Ｑ（例えば、並び方向Ｐに対して直交する方向）に並ぶことで、導光体セットＳＴはマトリックス状に並ぶ。
【００３４】
特に、このように交差方向Ｑに沿って導光体３１が並ぶ場合、受光片３１Ｒの天面３１Ｒｕが出射片３１Ｓの底面３１Ｓｂを支え、集まる天面３１Ｓｕで同一面が完成する（天面３１Ｓｕが面一で集まる）。また、並び方向Ｐに沿って導光体３１が並ぶ場合でも、集まる天面３１Ｓｕで同一面が完成する。その結果、導光体３１の天面３１Ｓｕは、マトリックス状に並ぶことで、比較的大型な光出射面となる（このようなマトリックス状に並ぶ導光体３１をタンデム型導光体３１とも称する）。
【００３５】
膨張袋１１は、マトリックス状に並ぶ導光体３１の天面３１Ｓｕを覆うとともに、液晶表示パネル４９を支える箱状（例えば、直方体状）の袋であり、媒体（例えば、気体または液体）の流入によって膨らむ。つまり、膨張袋１１の底面１１Ｂは導光体３１の天面３１Ｓｕを覆い、膨張袋１１の天面１１Ｕは液晶表示パネル４９を支える（この膨張袋１１の機能については、後に詳説する）。
【００３６】
また、この膨張袋１１は、媒体の流入に応じて膨らめるように、天然ゴム（ラテックス）、合成ゴム、ポリカーボネート、ポリエチレンテレフタレート、およびポリエチレンナフタレート等の透明の弾性材料で形成される。
【００３７】
また、膨張袋１１は、導光体３１から出射される光を液晶表示パネル４９の全面に行き渡らすべく、光拡散性を有してもよい。例えば、屈折率制御ポリマー粒子であるポリメチルメタクリレート（ＰＭＭＡ）またはシリカゲルの微少粒子が膨張袋１１に分散配合されることで、その膨張袋１１が光拡散性を有してもよい。
【００３８】
ただし、膨張袋１１の有する光学特性は、光拡散性に限定されるものではない。例えば、膨張袋１１は、集光特性（レンズ特性）または偏光特性を有してもよい。
【００３９】
裏ハウジングＨＧ２は、以上のＬＥＤ２１、実装基板２５、導光体３１、および膨張袋１１を収容する収容体である。この裏ハウジングＨＧ２の形状は、特に限定されるものではなく、例えば、図１に示すように、底面（支持面）ＨＧ２ｂと、この底面ＨＧ２ｂに対して立ち上がる壁部ＨＧ２ｗとを有する箱であってもよいし、それ以外の形状であってもよい。また、裏ハウジングＨＧ２の材料も特に限定されない。
【００４０】
なお、裏ハウジングＨＧ２は、マトリックス状に並ぶ導光体３１の天面３１Ｓｕに、膨張袋１１を重ねて収容するが、この積み重なる方向を重なり方向Ｒと称する（並び方向Ｐ、交差方向Ｑ、重なり方向Ｒは、互いに直交する関係であってもよい）。また、この裏ハウジングＨＧ２は、バックライトユニット５９となる種々部材を収容する点から、バックライトユニット５９の一部品ともいえる。
【００４１】
表ハウジングＨＧ１は、枠状部材であり、裏ハウジングＨＧ２に収容される膨張袋１１の天面１１Ｕに重なる液晶表示パネル４９を押さえ付けつつ、裏ハウジングＨＧ２に覆い被さる。そして、この表ハウジングＨＧ１は、裏ハウジングＨＧ２に固定される（なお、固定の仕方は限定されるものではない）。すると、表ハウジングＨＧ１は、バックライトユニット５９と液晶表示パネル４９とを裏ハウジングＨＧ２とともに挟み込むことになり、液晶表示装置６９が完成する。
【００４２】
そして、以上のような液晶表示装置６９では、バックライトユニット５９におけるＬＥＤ２１からの光が、導光体３１によって面状光になって出射し、その面状光が膨張袋１１を通過することで発光輝度を高めたバックライト光になって出射する。さらに、このバックライト光は、液晶表示パネル４９に到達し、そのバックライト光によって、液晶表示パネル４９は画像を表示させる。
【００４３】
ここで、膨張袋１１について詳説する。膨張袋１１は、図２の断面図および図３の断面図に示すように、媒体を流入させるための流入口１２を含む。さらに、この流入口１２に連なる連結口１３が、裏ハウジングＨＧ２に形成される。
【００４４】
このようになっていると、バックライトユニット５９の外部から、媒体が連結口１３と流入口１２とを通じて膨張袋１１に流れ込める。すると、膨張袋１１が媒体の流入に応じて膨らむ。なお、流入した媒体の外部への漏れを防ぐべく、連結口１３および流入口１２の少なくとも一方は封止剤（不図示）で塞がれる。
【００４５】
そして、膨張袋１１が膨らむと、その膨張袋１１は、膨らむことによって周囲、すなわち、導光体３１、液晶表示パネル４９、および裏ハウジングＨＧ２の壁部ＨＧ２ｗに対して圧を加える（要は、膨れあがる膨張袋１１は、導光体３１、液晶表示パネル４９、および壁部ＨＧ２ｗを押さえ付ける；白色矢印参照）。
【００４６】
詳説すると、膨張袋１１は、裏ハウジングＨＧ２の壁部ＨＧ２ｗ（ハウジングの一端）に引っかかりつつ膨張することで、導光体３１を実装基板２５を介して裏ハウジングＨＧ２の底面ＨＧ２ｂに押さえ付ける（要は、膨張袋１１が壁部ＨＧ２ｗを基点にして押圧力を発揮する）。すると、導光体３１は、実装基板２５、ひいては裏ハウジングＨＧ２に対して不動になる。
【００４７】
そのため、導光体３１は、実装基板２５（ひいては裏ハウジングＨＧ）に対して固定されていなくてもよい。すなわち、ネジおよび接着剤等を用いて、導光体３１が実装基板２５に対して固定されていなくても、その導光体３１は実装基板２５および裏ハウジングＨＧ２に対して不動となる。
【００４８】
このようになっていると、ネジ等を用いて、導光体３１毎に実装基板２５への固定が不要となる。そのため、バックライトユニット５９（ひいては液晶表示装置６９）の製造が容易になる。つまり、バックライトユニット５９の生産性が向上する（特に、複数の導光体３１を含むバックライトユニット５９では、そのバックライトユニット５９の生産性が極めて高まる）。また、バックライトユニット５９の修理の場合でも、容易に、導光体３１をそのバックライトユニット５９から取り外せる。そのため、修理しやすいバックライトユニット５９が完成する。
【００４９】
なお、膨張袋１１は、裏ハウジングＨＧ２の壁部ＨＧ２ｗに引っかかる（直接接触する）だけでなく、液晶表示パネル４９を介して表ハウジングＨＧ１の縁片ＨＧ１ｅに引っかかる（間接接触する）。そのため、膨張袋１１は、裏ハウジングＨＧ２の壁部ＨＧ２ｗに引っかかりつつ膨張することで、液晶表示パネル４９を表ハウジングＨＧ１に対して押さえ付ける。したがって、液晶表示パネル４９も、ハウジングＨＧ（表ハウジングＨＧ１・裏ハウジングＨＧ２）に対して不動となる。
【００５０】
さらに、膨張袋１１が液晶表示パネル４９を介して表ハウジングＨＧ１の縁片ＨＧ１ｅに引っかかっていると、膨張袋１１による膨張力（特に、膨張袋１１の底面１１Ｂによる押圧力）が、効率よく導光体３１に伝わり、確実に、導光体３１が実装基板２５の実装面２５Ｕ、ひいては裏ハウジングＨＧ２の底面ＨＧ２ｂに押し付けられる。
【００５１】
ただし、膨張袋１１は、裏ハウジングＨＧ２の壁部ＨＧ２ｗに引っかかるだけで十分に、導光体３１を裏ハウジングＨＧ２の底面ＨＧ２ｂに押しつけられる（要は、液晶表示パネル４９を搭載しないバックライトユニット５９単体だけでも、十分に、膨張袋１１で導光体３１を不動にさせられる）。
【００５２】
また、図５および図６に示されるような、バックライトユニット５９であってもよい（なお、図５は図２の別例図であり、図６は図３の別例図である）。すなわち、壁部ＨＧ２ｗから突き出ることで、膨張袋１１を導光体３１に押さえ付ける押さえ片１５が、裏ハウジングＨＧ２に含まれていてもよい。
【００５３】
詳説すると、押さえ片１５は、壁部ＨＧ２ｗの内側面にて、底面ＨＧ２ｂに対し一定距離Ｈだけ離れた箇所から突き出る。そして、この一定距離Ｈは、実装基板２５を介して底面ＨＧ２ｂで支えられる導光体３１を覆う膨張袋１１の天面１１Ｕを超える距離に設定される。すると、この押さえ片１５は、膨張袋１１の天面１１Ｕを押さえ付ける（要は、膨張袋１１は、壁部ＨＧ２ｗに引っかかるだけでなく押さえ片１５にも引っかかり、壁部ＨＧ２ｗおよび押さえ片１５を基点にして押圧力を発揮する）。
【００５４】
このようになっていても、膨張袋１１による膨張力（特に、膨張袋１１の底面１１Ｂによる押圧力）が、効率よく導光体３１に伝わり、確実に、導光体３１が実装基板２５を介して裏ハウジングＨＧ２の底面ＨＧ２ｂに押し付けられる。
【００５５】
また、膨張袋１１の有する弾力性に起因して、膨れあがる膨張袋１１の天面１１Ｕが液晶表示パネル４９に接する場合、その膨張袋１１は液晶表示パネル４９を介して表ハウジングＨＧ１の縁片ＨＧ１ｅに引っかかることになる。そのため、膨張袋１１による膨張力が、より効率よく導光体３１に伝わり、一層確実に、導光体３１が実装基板２５を介して裏ハウジングＨＧ２の底面ＨＧ２ｂに押し付けられる。
【００５６】
なお、押さえ片１５の位置は、導光体３１に積み重なる膨張袋１１の天面１１Ｕを押さえ付けられる位置であれば、特に限定されない。例えば、図５の断面図に示すように、長手の壁部ＨＧ２ｗに押さえ片１５が形成されてもよいし、図６の断面図に示すように、短手の壁部ＨＧ２ｗに押さえ片１５が形成されてもよい。
【００５７】
ただし、押さえ片１５同士が対向している場合、例えば、向かい合う長手の壁部ＨＧ２ｗ同士にて、交差方向Ｑに沿って押さえ片１５が対向していたり、向かい合う短手の壁部ＨＧ２ｗ同士にて、並び方向Ｐに沿って押さえ片１５が対向していたりすると、一層効率よく、膨張袋１１の膨張力が導光体３１に伝わるので望ましいといえる。
【００５８】
また、図７および図８に示されるような、バックライトユニット５９であってもよい（なお、図７は図２・図５の別例図であり、図８は図３・図６の別例図である）。すなわち、押さえ片１５を壁面とする突出溝１６が裏ハウジングＨＧ２の壁部ＨＧ２ｗに形成され、その突出溝１６に液晶表示パネル４９を挟めるバックライトユニット５９であってもよい。
【００５９】
このようなバックライトユニット５９であっても、押さえ片１５が、膨張袋１１の天面１１Ｕを押さえ付ける。そのため、膨張袋１１による膨張力が、効率よく導光体３１に伝わり、確実に、導光体３１が実装基板２５を介して裏ハウジングＨＧ２の底面ＨＧ２ｂに押し付けられる。その上、このバックライトユニット５９であれば、表ハウジングＨＧ１の縁片ＨＧ１ｅの有無にかかわらず、液晶表示パネル４９がハウジングＨＧ（詳説すると、裏ハウジングＨＧ２）に対して不動になる。
【００６０】
したがって、液晶表示パネル４９を搭載しないバックライトユニット５９単体だけでも、十分に、膨張袋１１で導光体３１を不動にさせられる。
【００６１】
［実施の形態２］
実施の形態２について説明する。なお、実施の形態１で用いた部材と同様の機能を有する部材については同一の符号を付記し、その説明を省略する。
【００６２】
実施の形態１では、膨張袋１１がマトリックス状に並ぶ導光体３１を覆うことで、裏ハウジングＨＧ２の底面ＨＧ２ｂとともにその導光体３１を挟み込む。そして、膨張袋１１は自身に流入する媒体量に応じて膨張することで、導光体３１を底面ＨＧ２ｂに対して押さえ付け、不動にしていた。しかし、導光体３１を底面ＨＧ２ｂに押さえ付ける部材は、膨張袋１１に限定されるものではない。
【００６３】
例えば、図９および図１０に示されるように（なお、図９は図２・図５・図７の別例図であり、図１０は図３・図６・図８の別例図である）、乖離しつつ向かい合う２枚の拡散板ＤＳ（ＤＳ１・ＤＳ２）と、それら拡散板ＤＳ１・ＤＳ２を支える裏ハウジングＨＧの壁部ＨＧ２ｗとが、膨張袋１１と同じ役割を果たしてもよい。
【００６４】
詳説すると、光を拡散させる第１の拡散板（第１板）ＤＳ１は、マトリックス状に並ぶ導光体３１を覆いつつ、壁部ＨＧ２ｗに保持される。一方、第２の拡散板（第２板）ＤＳ２は、拡散板ＤＳ１から乖離しつつ壁部ＨＧ２ｗに保持される。つまり、乖離しつつ向かい合う２枚の拡散板ＤＳ１・ＤＳ２と、それら拡散板ＤＳ１・ＤＳ２を支える裏ハウジングＨＧ２の壁部ＨＧ２ｗとで、囲まれる空間（囲み空間ＥＰ）が生じる。
【００６５】
そして、裏ハウジングＨＧ２における連結口１３は、囲み空間ＥＰに対して媒体を流入させられる位置、例えば図９の断面図および図１０の断面図に示すように、第１の拡散板ＤＳ１と第２の拡散板ＤＳ２とに挟まれる壁部ＨＧ２ｗの一端に位置する。
【００６６】
このようになっていると、バックライトユニット５９の外部から、媒体が連結口１３を通じて囲み空間（収容空間）ＥＰに流れ込める（なお、流入した媒体の外部への漏れを防ぐべく、連結口１３は不図示の封止剤で塞がれる）。すると、囲み空間ＥＰの体積が媒体の流入に応じて膨らむ。要は、媒体の圧によって、第１の拡散板ＤＳ１は導光体３１に向かって膨らむように撓み、第２の拡散板ＤＳ２は液晶表示パネル４９に向かって膨らむように撓む。
【００６７】
すると、第１の拡散板ＤＳ１によって、導光体３１は実装基板２５を介して裏ハウジングＨＧ２の底面ＨＧ２ｂに押さえ付けられ、その結果、導光体３１は、実装基板２５、ひいては裏ハウジングＨＧ２に対して不動になる。また、第２の拡散板ＤＳ２によって、液晶表示パネル４９は、表ハウジングＨＧ１に対して押さえ付けられ、その結果、液晶表示パネル４９も、ハウジングＨＧ（表ハウジングＨＧ１・裏ハウジングＨＧ２）に対して不動になる。
【００６８】
つまり、媒体を収容する囲み空間ＥＰを形成する以下の（１）〜（３）の部材のセットが、膨張袋１１と同様の役割を果たす。
（１）裏ハウジングＨＧ２にて、底面ＨＧ２ｂに対して立ち上がる壁部ＨＧ２ｗ
（２）壁部ＨＧ２ｗにて保持されつつ導光体３１を覆うことで、底面ＨＧ２ｂとともに
導光体３１を挟み込む第１の拡散板ＤＳ１
（３）第１の拡散板ＤＳ１から乖離しつつ壁部ＨＧ２ｗにて保持されることで、第１の
拡散板ＤＳ１とともに媒体を挟み込む第２の拡散板ＤＳ２
【００６９】
そして、これらの部材のセット（押さえ体）により、実施の形態１同様に、導光体３１は、実装基板２５（ひいては裏ハウジングＨＧ２）に対して固定されていなくてもよく、バックライトユニット５９の製造が容易になる。また、バックライトユニット５９の修理の場合でも、容易に、導光体３１をそのバックライトユニット５９から取り外せるので、取り扱いの容易なバックライトユニット５９が完成する。
【００７０】
なお、壁部ＨＧ２ｗによる第１の拡散板ＤＳ１および第２の拡散板ＤＳ２の保持の仕方は特に限定されるものではない。例えば、図９の断面図および図１０の断面図に示すように、各拡散板ＤＳ１・ＤＳ２の表面および裏面を挟み込む挟持溝１７によって、それら拡散板ＤＳ１・ＤＳ２は保持されてもよい。
【００７１】
［実施の形態３］
実施の形態３について説明する。なお、実施の形態１および２で用いた部材と同様の機能を有する部材については同一の符号を付記し、その説明を省略する。
【００７２】
実施の形態１および２では、導光体３１をハウジングＨＧに対して不動にさせるために膨張袋１１等が用いられた。そこで、この膨張袋１１等を用いつつ、さらに、導光体３１をハウジングＨＧに対して不動にさせたバックライトユニット５９がある。そのようなバックライトユニット５９について、図１１および図１２を用いて説明する。
【００７３】
図１１は、裏ハウジングＨＧ２の底面ＨＧ２ｂ、実装基板２５、ＬＥＤ２１、および導光体３１を拡大して示す分解斜視図である。図１２は、図１１のＣ−Ｃ’線矢視方向からみた液晶表示装置６９の断面図である。
【００７４】
図１２に示すように、バックライトユニット５９には、膨張袋１１と裏ハウジングＨＧ２における底面ＨＧ２ｂと壁部ＨＧ２ｗとで挟まれる空間（挟持空間ＢＰ）が生じる。そして、実装基板２５が裏ハウジングＨＧ２の底面ＨＧ２ｂに支えられることで、この挟持空間ＢＰに、実装基板２５、実装基板２５上のＬＥＤ２１、および導光体３１が収容される。さらに、裏ハウジングＨＧ２には、外部から挟持空間ＢＰに到達する貫通開孔（減圧開孔）ＨＬが形成される。
【００７５】
このような貫通開孔ＨＬが挟持空間ＢＰに到達すると、その貫通開孔ＨＬを通じて挟持空間ＢＰ内の気圧が下げられる（挟持空間ＢＰ内の気圧が減圧される）。例えば、空気のような気体を吸引する減圧器（ドライポンプ等）が貫通開孔ＨＬにつなげられると、挟持空間ＢＰの気圧は下がる（なお、挟持空間ＢＰの気圧が下げられた後、その挟持空間ＢＰへの空気の進入を防ぐべく、貫通開孔ＨＬは不図示の封止剤で塞がれる）。
【００７６】
このようにして挟持空間ＢＰの気圧が下げられると、実装基板２５は裏ハウジングＨＧ２の底面ＨＧ２ｂに吸い付き、導光体３１は実装基板２５に吸い付く。そのため、導光体３１は実装基板２５を介して裏ハウジングＨＧ２の底面ＨＧ２ｂに対して不動になる。
【００７７】
したがって、実施の形態１および２同様に、導光体３１は、実装基板２５（ひいては裏ハウジングＨＧ２）に対して固定されていなくてもよく、バックライトユニット５９の製造が容易になる。また、バックライトユニット５９の修理の場合でも、容易に、導光体３１をそのバックライトユニット５９から取り外せるので、取り扱いの容易なバックライトユニット５９が完成する。
【００７８】
なお、貫通開孔ＨＬは、挟持空間ＢＰに到達していれば、特に位置は限定されるものではない。例えば、図１２に示すように、裏ハウジングＨＧ２の底面ＨＧ２ｂだけではなく、壁部ＨＧ２ｗに貫通開孔ＨＬが位置してもよい。
【００７９】
ただし、挟持空間ＢＰ側の貫通開孔ＨＬの口に近い部材ほど、その貫通開孔ＨＬに引きつけられやすい。そこで、貫通開孔ＨＬの挟持空間ＢＰ側の口の位置が種々設定される。例えば、貫通開孔ＨＬは、裏ハウジングＨＧ２の底面ＨＧ２ｂに位置するとともに実装基板２５における両基板面（実装面２５Ｕ・非実装面２５Ｂ）を貫く接続開孔２５Ｈにつながることで延び、挟持空間ＢＰに到達してもよい。
【００８０】
このようになっていると、貫通開孔ＨＬの挟持空間ＢＰ側の口ＨＬｉは、接続開孔２５Ｈを介して、その接続開孔２５Ｈにて貫通開孔ＨＬに非接触な口２５Ｈｉ（後述の開放口）にまで延びることになる。そのため、貫通開孔ＨＬの挟持空間ＢＰ側の口ＨＬｉは、例えば底面ＨＧ２ｂに位置する貫通開孔ＨＬに比べて、導光体３１に近づく。そのため、導光体３１が貫通開孔ＨＬ（詳説すると、接続開孔２５Ｈ）に吸い付きやすくなる。
【００８１】
また、実装基板２５における接続開孔２５Ｈの両端の口２５Ｈｉ・２５Ｈｏにて、貫通開孔ＨＬにつながる口を接続口２５Ｈｏ、その接続口２５Ｈｏの反対側の口を開放口２５Ｈｉとすると、開放口２５Ｈｉが、導光体３１に密着してもよい。このようになっていると、導光体３１が貫通開孔ＨＬ（詳説すると、接続開孔２５Ｈ）に一層吸い付きやすくなる。
【００８２】
また、貫通開孔ＨＬは、底面ＨＧ２ｂに位置しており、その貫通開孔ＨＬの挟持空間ＢＰ側の口ＨＬｉが、実装基板２５に密着してもよい。このようになっていると、実装基板２５が貫通開孔ＨＬに吸い付きやすくなる。
【００８３】
なお、以上のような貫通開孔ＨＬは、膨張袋１１等と併用されるとは限らない。すなわち、貫通開孔ＨＬのみが裏ハウジングＨＧ２に形成されていてもよい。なぜなら、バックライトユニット５９または液晶表示装置６９において、実装基板２５、実装基板２５上のＬＥＤ２１、および導光体３１の収容される空間が一定の密閉性を有していれば、貫通開孔ＨＬを用いた減圧だけであっても、十分に、実装基板２５が裏ハウジングＨＧ２の底面ＨＧ２ｂに吸い付き、導光体３１が実装基板２５に吸い付くためである。
【００８４】
［その他の実施の形態］
なお、本発明は上記の実施の形態に限定されず、本発明の趣旨を逸脱しない範囲で、種々の変更が可能である。
【００８５】
例えば、図９の断面図および図１０の断面図に示されるような囲み空間ＥＰにて、媒体は循環してもよい。例えば媒体が気体｛例えば、空気、水素、および六フッ化硫黄（ＳＦ6）｝の場合、超小型ファンのような循環装置が囲み空間ＥＰに設置されていれば、囲み空間ＥＰにて気体は循環する。このようになっていれば、気体が液晶表示装置６９の駆動熱に応じて熱せられにくくなり望ましい。
【００８６】
また、膨張袋１１のように、その膨張袋１１内部に気体を循環させる循環装置（例えば、超小型ファン）が設置されにくい場合、裏ハウジングＨＧ２の連結口１３と膨張袋１１の流入口１２とを介して、気体を循環させてもよい。すなわち、超小型ファン等が、膨張袋１１内部に設置されるのではなく、膨張袋１１の外部に設置されてもよい。
【００８７】
ただし、膨張袋１１の場合、循環装置がその膨張袋１１の外部にしか設置できないわけではなく、膨張袋１１の内部に設置される場合もある。また、囲み空間ＥＰの場合、循環装置がその囲み空間ＥＰの内部にしか設置できないわけではなく、囲み空間ＥＰの外部に設置される場合もある。
【００８８】
また、循環装置は、膨張袋１１または囲み空間ＥＰの内部にしか媒体を循環させるとは限らない。すなわち、循環装置は、膨張袋１１または囲み空間ＥＰの内部だけでなく、それらの外部（要は、バックライトユニット５９の内部、ひいては液晶表示装置６９の内部）にまで、媒体を循環させてもよい。このようになっていると、バックライトユニット５９および液晶表示装置６９の駆動熱を低温化させることも可能になる。
【００８９】
なお、循環される媒体は、気体に限らず、水等の液体であってもかまわない。そして、囲み空間ＥＰまたは膨張袋１１の内部に液体を循環させる装置の一例としては、循環モータが挙げられる。
【００９０】
また、バックライトユニット５９（ひいては、液晶表示装置６９）では、導光体３１がハウジングＨＧに対して不動になるが、より安定して不動にすべく、図１３の分解斜視図および図１４Ａ〜図１４Ｃの平面図に示すような導光体３１および実装基板２５であってもよい（なお、図１４Ａは複数で並ぶ導光体３１の平面図、図１４Ｂは実装基板２５の実装面２５Ｕの平面図、図１４Ｃは実装基板２５に押さえ付けられた導光体３１を示す平面図である）。
【００９１】
すなわち、導光体３１には、その導光体３１における受光片３１Ｒの交差方向Ｑに沿う側壁から内部に向かって進入する切欠（副切欠）３２が形成され、実装基板２５の実装面２５Ｕには、切欠３２に嵌る突起２６が形成されてもよい。また、実装基板２５の実装面２５Ｕには、導光体３１における受光片３１Ｒの並び方向Ｐに沿う側壁に係わり合う係合壁２７が形成されていてもよい。
【００９２】
このようになっていると、切欠３２と突起２６とが嵌り合うことで、並び方向Ｐと交差方向Ｑとで規定される面内方向（面内方向ＰＱ）にて、導光体３１は変動しない。また、導光体３１の側壁と係合壁２７とが係わり合うことで、交差方向Ｑにおける一方向に向かって導光体３１は変動しない。その上、突起２６および係合壁２７が導光体３１の位置合わせの目印にもなり、バックライトユニット５９、ひいては液晶表示装置６９の製造効率も向上する。
【００９３】
なお、図１３に示すように、１つの導光体３１に対応する突起２６および係合壁２７が三角状に配置され、導光体３１にて三辺を形成する３箇所の側壁が実装基板２５に接触すれば望ましい。ただし、これに限定されず、導光体３１における少なくとも１箇所の側壁が実装基板２５に接触してもよい。また、突起２６および係合壁２７のサイズおよび位置は適宜変更可能である。
【００９４】
ところで、以上での実装面２５Ｕにおける突起２６および係合壁２７、並びに導光体３１の切欠３２は、面内方向ＰＱにて導光体３１を不動にさせていた。しかし、図１５の部分拡大断面図に示すような実装基板２５であれば、重なり方向Ｒでも導光体３１を不動にさせられる。
【００９５】
すなわち、導光体３１の底面３１ｂと実装基板２５実装面２５Ｕとが密着するように、実装基板２５が実装面２５Ｕを隆起させていると（この隆起した実装基板２５の一部分は隆起部分２８と称する）、導光体３１が膨張袋１１等で裏ハウジングＨＧ２の底面ＨＧ２ｂに向かって押さえ付けられすぎたとしても、導光体３１は過度に重なり方向Ｒの一方向（裏ハウジングＨＧ２の底面ＨＧ２ｂ側）に向かって変動しない。
【００９６】
なお、図１５に示すように、実装基板２５が実装面２５Ｕを隆起させていなくても、図１６の部分拡大断面図に示すように、導光体３１の底面３１ｂと実装基板２５実装面２５Ｕとの隙間を埋めるスペーサーＳＲが嵌っていてもよい。このようになっていても、導光体３１は過度に重なり方向Ｒの一方向に向かって変動しないためである。また、裏ハウジングＨＧ２の一部がスペーサーＳＲと同様の形になり、スペーサーＳＲの役割を果たしてもよい。
【００９７】
また、以上のバックライトユニット５９では、図４に示すように、実装基板２５が１枚状であったが、図１７の分解斜視図に示すように、並び方向Ｐに沿う線状の実装基板２５が複数枚搭載されていてもかまわない（なお、実装基板２５には、ＬＥＤドライバーが実装されることもある）。
【００９８】
また、複数の導光体３１がマトリックス状に配置されているバックライトユニット５９に限らず、１個の導光体（例えば、１枚状の導光体）３１が配置されるバックライトユニット５９であってもよい。要は、バックライトユニット５９では、導光体３１と、少なくとも１個以上の導光体３１を並べて収容する裏ハウジングＨＧ２と、導光体３１を覆うことで、裏ハウジングＨＧ２の一面である底面ＨＧ２ｂとともに導光体３１を挟み込み、その導光体３１を底面ＨＧ２ｂに対して押さえ付けることで不動にする膨張袋１１等とが含まれるとよい。
【００９９】
ただし、複数の導光体３１を敷き詰めて搭載するバックライトユニット５８の場合、膨張袋１１等が、一度に複数の導光体３１を裏ハウジングＨＧ２の底面ＨＧ２ｂに押さえ付けるので、それらの複数の導光体３１が簡易に裏ハウジングＨＧ２に対して不動になる。つまり、このようなバックライトユニット５９の場合、膨張袋１１等のもたらす効果が顕著に現れるといえる。
【０１００】
また、膨張袋１１が光拡散性等の特性を有しない場合、拡散シートおよびレンズシート等が、導光体３１からの光を透過させるように搭載されていてもよい。さらには、導光体３１の底面３１ｂに、反射シートが取り付けられることで、導光体３１から光が漏れないようにしてもよい。
【図面の簡単な説明】
【０１０１】
【図１】は、液晶表示装置の分解斜視図である。
【図２】は、図１の液晶表示装置のＡ−Ａ’線矢視断面図である。
【図３】は、図１の液晶表示装置のＢ−Ｂ’線矢視断面図である。
【図４】は、図１の液晶表示装置における一部を拡大した分解斜視図である。
【図５】は、図２の液晶表示装置の別例を示す断面図である。
【図６】は、図３の液晶表示装置の別例を示す断面図である。
【図７】は、図２および図５の液晶表示装置の別例を示す断面図である。
【図８】は、図３および図６の液晶表示装置の別例を示す断面図である。
【図９】は、図２、図５、および図７の液晶表示装置の別例を示す断面図である。
【図１０】は、図３、図６、および図８の液晶表示装置の別例を示す断面図である。
【図１１】は、図４の液晶表示装置の別例を示す分解斜視図である。
【図１２】は、図１１のＣ−Ｃ’線矢視方向からみた液晶表示装置の断面図である。
【図１３】は、図４および図１１の液晶表示装置の別例を示す分解斜視図である。
【図１４】では、（Ａ）は複数で並ぶ導光体の平面図であり、（Ｂ）は実装基板の実装面の平面図であり、（Ｃ）は実装基板に押さえ付けられた導光体を示す平面図である。
【図１５】は、図２、図５、図７、および図９の液晶表示装置の別例を示す断面図である。
【図１６】は、図２、図５、図７、図９、および図１５の液晶表示装置の別例を示す断面図である。
【図１７】は、図４、図１１、および図１３の液晶表示装置の別例を示す分解斜視図である。
【符号の説明】
【０１０２】
１１      膨張袋（押さえ体、膨張体）
１２      流入口
１３      連絡口
１５      押さえ片（ハウジングの一端）
１６      突出溝（ハウジングの一端）
１７      挟持溝（ハウジングの一端）
２１      ＬＥＤ（光源）
２１Ｌ    発光面
２５      実装基板
２５Ｕ    実装面
２５Ｂ    非実装面
２５Ｈ    接続開孔
２５Ｈｉ  接続開孔の口（開放口）
２５Ｈｏ  接続開孔の口（接続口）
２６      突起
２７      係合壁
３１      導光体
３１Ｒ    受光片
３１Ｓ    出射片
３１ｕ    導光体の天面
３１ｂ    導光体の底面
ＫＣ      主切欠
３２      副切欠
ＨＧ      ハウジング
ＨＧ１    表ハウジング
ＨＧ２    裏ハウジング
ＨＧ２ｂ  裏ハウジングの底面（支持面）
ＨＧ２ｗ  裏ハウジングの壁部（ハウジングの一端）
ＤＳ      拡散板
ＤＳ１    第１の拡散板（第１板）
ＤＳ２    第２の拡散板（第２板）
ＥＰ      囲み空間
ＢＰ      挟持空間
ＨＬ      貫通開孔（開孔）
ＨＬｉ    貫通開孔の挟持空間側の口
４９      液晶表示パネル
５９      バックライトユニット
６９      液晶表示装置
【図１】
2010009885.tif 000003
【図２】
2010009885.tif 000004
【図３】
2010009885.tif 000005
【図４】
2010009885.tif 000006
【図５】
2010009885.tif 000007
【図６】
2010009885.tif 000008
【図７】
2010009885.tif 000009
【図８】
2010009885.tif 000010
【図９】
2010009885.tif 000011
【図１０】
2010009885.tif 000012
【図１１】
2010009885.tif 000013
【図１２】
2010009885.tif 000014
【図１３】
2010009885.tif 000015
【図１４】
2010009885.tif 000016
【図１５】
2010009885.tif 000017
【図１６】
2010009885.tif 000018
【図１７】
2010009885.tif 000019